(57)【要約】【課題】  商用電源投入直後に、多数の便器洗浄装置が同時に開弁することを防ぐことで、洗浄水の給水圧の低下を防ぎ、洗浄水が流れ続けてしまうこと防止することを可能とする。【解決手段】  便器へ繋がる給水流路に設けられたフラッシュバルブを設け、このフラッシュバルブの圧力室内の圧力を変化させて内部の弁体を移動させて給水流路を開閉する便器洗浄装置であって、前記圧力室内の圧力を変化させるべく前記排出路を開閉する電動弁と、前記電動弁の駆動を制御する制御手段と、を備えた便器洗浄装置において、前記制御手段は、商用電源が投入されたことを検知すると前記電動弁を駆動し、前記フラッシュバルブを開弁して初期洗浄を行うと共に、商用電源が投入されてから初期洗浄を開始するまでのディレイ時間を、ディレイ時間設定部によって設定された任意の時間に変更可能としたことを特徴とする。【選択図】  図１
2011102472.tif 000002
【特許請求の範囲】
【請求項１】
便器へ繋がる給水流路にフラッシュバルブを設け、このフラッシュバルブの圧力室内の圧力を変化させて内部の弁体を開弁位置及び閉弁位置に移動させて給水流路を開閉する便器洗浄装置であって、
前記フラッシュバルブの前記圧力室内と前記弁体の一次側とを接続した供給路と、前記圧力室と前記弁体の二次側とを接続した排出路と、前記圧力室内の圧力を変化させるべく前記排出路を開閉する電動弁と、前記電動弁の駆動を制御する制御手段と、
を備えた便器洗浄装置において、
前記制御手段は、商用電源が投入されたことを検知すると前記電動弁を駆動し、前記フラッシュバルブを開弁して初期洗浄を行うと共に、商用電源が投入されてから初期洗浄を開始するまでのディレイ時間を、ディレイ時間設定部によって設定された任意の時間に変更可能としたことを特徴とする便器洗浄装置。
【請求項２】
前記制御手段は、前記ディレイ時間設定部のディレイ時間を、無作為に決定して自動的に設定することを特徴とする請求項１記載の便器洗浄装置。
【請求項３】
請求項２記載の便器洗浄装置において、
人体を検出するための、赤外線等の光を投光する投光部と、前記投光部から投光された光の反射光を含む光を受光する受光部とを有する反射型の非接触アクティブセンサを備え、
前記制御手段は、商用電源が供給されると、前記非接触アクティブセンサの前記受光部の検出信号レベルに基づいて前記ディレイ時間設定部のディレイ時間を自動的に設定することを特徴とする便器洗浄装置。
【請求項４】
請求項１乃至２のいずれか一に記載の便器洗浄装置において、
アナログ・デジタル変換機能を有するＡＤ端子をもつマイコン備え、
前記制御手段は、商用電源が供給されると、前記マイコンの前記ＡＤ端子をオープン状態とし、前記ＡＤ端子の電圧の検出結果に基づいて、前記ディレイ時間を設定することを特徴とする便器洗浄装置。
【請求項５】
前記ディレイ時間設定部は、予め決められた所定時間の範囲内でディレイ時間を決定することを特徴とする請求項１記載の便器洗浄装置。
【請求項６】
前記制御部は、前記ディレイ時間内に使用者の便器使用に伴う洗浄指令を受付けると、前記初期洗浄を行わずに通常洗浄を実施することを特徴とする請求項１記載の便器戦場装置。
【発明の詳細な説明】
【技術分野】
【０００１】
本発明は、フラッシュバルブを電動弁により開閉する便器洗浄装置に関し、特に商用電源が投入された時に自動的に洗浄を行う初期洗浄機能を有する便器洗浄装置に関する。
【背景技術】
【０００２】
従来の便器洗浄装置では、例えば清掃のときにトイレ内の複数の便器をそれぞれ清掃した後、各便器に残った洗剤等を一回の操作で洗い流すことができるようにするために、商用電源が投入されたときに、予め設定された時間の初期洗浄を行うようにしており、清掃後に、トイレ内の便器洗浄装置に供給されている商用電源を一旦遮断し、再度その商用電源を投入することで、トイレ内の全ての便器を一斉に洗浄するようにしている（例えば、特許文献１参照。）。 
しかしながら、高層のビルなどで一つの建物に非常に多くの便器洗浄装置が設置された場合に、停電が発生して商用電源の供給が停止し、その後停電から復帰し商用電源が供給された時に、そのビルに設置された便器洗浄装置が一斉に開弁し洗浄を行ってしまうため、洗浄水の給水圧が急激に低下してしまい、フラッシュバルブが閉弁位置に移動できなくなり、水がずっと流れ続けてしまうという問題があった。
【先行技術文献】
【特許文献】
【０００３】
【特許文献１】特開平８−２０９７７２号公報
【発明の概要】
【発明が解決しようとする課題】
【０００４】
本発明は、上記問題を解決するためになされたもので、本発明の課題は、商用電源投入直後に、多数の便器洗浄装置が同時に開弁することを防ぐことで、洗浄水の給水圧の低下を防ぎ、洗浄水が流れ続けてしまうこと防止することが可能な便器洗浄装置を提供することを目的とする。
【課題を解決するための手段】
【０００５】
上記目的を達成するために第１の発明は、便器へ繋がる給水流路にフラッシュバルブを設け、このフラッシュバルブの圧力室内の圧力を変化させて内部の弁体を開弁位置及び閉弁位置に移動させて給水流路を開閉する便器洗浄装置であって、前記フラッシュバルブの前記圧力室内と前記弁体の一次側とを接続した供給路と、前記圧力室と前記弁体の二次側とを接続した排出路と、前記圧力室内の圧力を変化させるべく前記排出路を開閉する電動弁と、前記電動弁の駆動を制御する制御手段と、を備えた便器洗浄装置において、前記制御手段は、商用電源が投入されたことを検知すると前記電動弁を駆動し、前記フラッシュバルブを開弁して初期洗浄を行うと共に、商用電源が投入されてから初期洗浄を開始するまでのディレイ時間を、ディレイ時間設定部によって設定された任意の時間に変更可能としたことにより、商用電源が投入されてから初期洗浄を開始するまでの時間を、ディレイ時間設定部によって設定された任意の時間とすることができるため、複数の便器洗浄装置が設置された場合でも、ディレイ時間設定部によって初期洗浄開始までの時間がずれて設定されることにより、元スイッチがオンされてトイレルームへ商用電源の供給が開始された際にも初期洗浄が一斉に開始されてしまうことがなく、そのため、給水圧が急激に下がってフラッシュバルブが閉弁位置に移動できずに、水が流れ続けるといった不具合を防止することが可能となる。
【０００６】
また第２の発明は、前記制御手段は、前記ディレイ時間設定部のディレイ時間を、無作為に決定して自動的に設定するようにしたことにより、ディレイ時間が無作為に決定し自動設定されるため、使用者がディレイ時間を個別に設定操作する手間を省くことが可能となる。
【０００７】
また第３の発明は、人体を検出するための、赤外線等の光を投光する投光部と、前記投光部から投光された光の反射光を含む光を受光する受光部とを有する反射型の非接触アクティブセンサを備え、前記制御手段は、商用電源が供給されると、前記非接触アクティブセンサの前記受光部の検出信号レベルに基づいて前記ディレイ時間設定部のディレイ時間を自動的に設定するようにしたことにより、制御手段は、非接触アクティブセンサの受光部の検出信号レベルに基づいてディレイ時間情報を作り出すことで、無作為に決定された時間とすることができ、制御手段に無作為な時間情報を発生するためのランダム関数といった機能を準備しておく必要がなくなる。
【０００８】
また第４の発明は、アナログ・デジタル変換機能を有するＡＤ端子をもつマイコン備え、前記制御手段は、商用電源が供給されると、前記マイコンの前記ＡＤ端子をオープン状態とし、前記ＡＤ端子の電圧の検出結果に基づいて、前記ディレイ時間を設定するようにしたことにより、制御手段は、マイコンのＡＤ端子をオープン状態としたときの電圧に基づいてディレイ時間情報を作り出すことで、無作為に決定された時間とすることができ、制御手段に無作為な時間情報を発生するためのランダム関数といった機能を準備しておく必要がなくなる。
【０００９】
また第５の発明は、前記ディレイ時間設定部は、予め決められた所定時間の範囲内でディレイ時間を決定するようにしたことにより、初期洗浄を行う時間を所定時間内に収めることができ、初期洗浄が長時間続いてしまうことを防止することが可能となる。
【００１０】
また第６の発明は、前記制御部は、前記ディレイ時間内に使用者の便器使用に伴う洗浄指令を受付けると、前記初期洗浄を行わずに通常洗浄を実施するようにしたことにより、使用者の便器洗浄に伴う洗浄が行われると初期洗浄がキャンセルされるため、洗浄水を無駄に使うことを防止することが可能となる。
【発明の効果】
【００１１】
本発明によれば、商用電源が投入されたときに行われる初期洗浄までの時間を任意にずららして設定することにより、商用電源投入直後に多数の便器洗浄装置が同時に開弁することがなくなる。その結果洗浄水の給水圧の低下が発生しないため、フラッシュバルブは確実に閉弁位置に戻ることが可能となり、洗浄水が流れ続けてしまうということを防止できるという効果がある。
【図面の簡単な説明】
【００１２】
【図１】本発明の便器洗浄装置の構成を表すブロック図
【図２】本発明のフラッシュバルブの断面図
【図３】本発明の初期洗浄処理の制御フローチャート
【図４】本発明の初期洗浄ディレイ時間決定処理の第一の制御フローチャート
【図５】本発明の初期洗浄の動作タイミングを表す第一のタイミングチャート
【図６】本発明の初期洗浄の動作タイミングを表す第二のタイミングチャート
【図７】本発明の初期洗浄ディレイ時間決定処理の第二の制御フローチャート
【図８】本発明の初期洗浄の動作タイミングを表す第三のタイミングチャート
【図９】本発明の初期洗浄ディレイ時間決定部の第三の例を表す構成図
【図１０】本発明の初期洗浄ディレイ時間決定処理の第三の制御フローチャート
【図１１】本発明の初期洗浄の動作タイミングを表す第四のタイミングチャート
【発明を実施するための形態】
【００１３】
以下に、本発明の実施形態について添付図面により詳細に説明する。
図１は本発明の一実施形態にかかわる便器洗浄装置の構成を表すブロック図で、便器１と便器１に洗浄水を供給する給水流路２と、給水流路２と便器１との間に便器１への洗浄水の供給、停止を行う便器洗浄装置３が配設されている。そして便器洗浄装置３には給水流路２の途中に配設され、便器１への洗浄水の供給・停止を行うフラッシュバルブ４と、フラッシュバルブ４を動作させるための電動弁５が設けられており、この電動弁５を駆動するための制御手段８が配設されている。また、便器洗浄装置３には商用電源を供給するためのコンセントプラグ６と、コンセントプラグ６から供給された商用電源を制御手段８が動作するために必要な電圧に変換する電源部７とが設けられている。さらに制御手段８には電動弁５の駆動を制御するための信号を出力する制御部８ａと、初期洗浄を開始するまでのディレイ時間を演算し、その結果を制御部８ａに出力するディレイ時間設定部９とからなっている。
【００１４】
また、制御部８ａは便器１を人が使用しているか使用していないかを判別するための反射型の非接触アクティブセンサ１１が接続されており、反射型非接触アクティブセンサ１１には赤外線を外部に向けて投光する投光部１２と、人体や周囲の壁面等からの反射された赤外線を受光する受光部１３と、受光部が受信した信号を増幅する増幅部１４と、投光部１２が赤外線を投光するタイミングに合わせて増幅部１４から出力された信号から反射信号レベルを演算する演算部１５とから構成されている。そして、制御部８ａは反射型非接触アクティブセンサ１１の演算部１５から出力された信号により、人体の有無を検出し、その結果により電動弁５の駆動を制御してフラッシュバルブ４を開閉し、便器１を洗浄するように構成されている。
【００１５】
図２はフラッシュバルブ４の断面図で、フラッシュバルブ４は本体２１に弁体（ピストンバルブ）２２を備え、弁体（ピストンバルブ）２２には一次側給水路２６と圧力室２３とをつなぐ供給路２４と、圧力室２３と二次側排水路２７とをつなぐ排水路２５と、圧力室２３と二次側排水路２７との間を開閉するシート２８を有する。また蓋３１に固定された電動弁５によりプランジャー３２を上下に動作させて、シート２８の開閉を行うようになっている。
【００１６】
そして、電動弁５への通電によりプランジャー３２が引き上げられると、シート２８が開き排水路２５から圧力室２３内の水が排水され、圧力室２３の圧力が二次側排水路２７の圧力と同圧になり、一次側給水路２６の圧力が圧力室２３の圧力より高くなるため、弁体（ピストンバルブ）２２が押し上げられて一次側給水路２６と二次側排水路２７とが通じ、洗浄水が吐水される。
【００１７】
また、電動弁５への通電を停止しプランジャー３２が下がりシート２８が排水路２５を閉じると、一次側給水路２６から供給路２４を通じて圧力室２３に水が供給され、圧力室２３の圧力は一次側給水路２６の圧力と同圧となり、二次側給水路２７の圧力は圧力室２３の圧力より低くなる。そして一次側給水路２６から供給路２４を通じて圧力室２３に徐々に水が供給されることにより弁体（ピストンバルブ）２２が徐々に押し下げられ、一次側給水路２６と二次側排水路２７とが閉じて止水するようになっている。
【００１８】
以上の構成において、本発明の便器洗浄装置の初期洗浄の動作についてフローチャートにより説明する。図３は便器洗浄装置の初期洗浄処理を表す制御フローチャートで、商用電源が投入され便器洗浄装置の動作が開始すると、まず後述する初期洗浄ディレイ時間決定処理が実施され（Ｓ１０１）、次に反射型非接触アクティブセンサ１１から出力された信号が人体有を検出しているかどうかをチェックする（Ｓ１０２）。もし人体無であれば（Ｓ１０２：Ｎｏ）、次に便器使用のオンディレイタイマＴｏｎに１０秒をセットし（Ｓ１０３）、続いて初期洗浄ディレイタイマＴｉが０となったかどうかをチェックし（Ｓ１０４）、まだ０になっていなければ（Ｓ１０４：Ｎｏ）再び反射型非接触アクティブセンサ１１から出力された信号が人体有を検出しないかをチェックしながら（Ｓ１０２）、初期洗浄ディレイタイマＴｉが０となったら（Ｓ１０４：Ｙｅｓ）、電動弁５を開駆動して（Ｓ１０５）フラッシュバルブ４を開することで便器１の初期洗浄を開始する。次に電動弁５を閉するまでの時間を決定する洗浄タイマＴｗに２秒をセットし（Ｓ１０６）、洗浄タイマＴｗをスタートして（Ｓ１０７）、洗浄タイマＴｗが０となるのを待つ（Ｓ１０８：Ｎｏ）。そして洗浄タイマＴｗが０となると（Ｓ１０８：Ｙｅｓ）、電動弁５を閉駆動して（Ｓ１０９）初期洗浄処理終了し、便器洗浄装置の通常の動作に移行する。
【００１９】
もし、初期洗浄ディレイタイマが０となるのを待っている間に（Ｓ１０４：Ｎｏ）、反射型非接触アクティブセンサ１１から出力された信号が人体有を検出した場合（Ｓ１０２：Ｙｅｓ）、便器の前を人が通ったり外乱ノイズなどで一時的に人体有となったかどうかを検出するために設けられた便器使用のオンディレイタイマＴｏｎが０になったかどうかをチェックしながら（Ｓ１１０：Ｎｏ）、もしその途中で人体無に変わった場合には（Ｓ１０２：Ｎｏ）再び初期洗浄ディレイタイマＴｉが０になるのを待つ。もし、反射型非接触アクティブセンサ１１から出力された信号が人体有を検出したまま（Ｓ１０２：Ｙｅｓ）、便器使用のオンディレイタイマＴｏｎが０となった場合は（Ｓ１１０：Ｙｅｓ）、人が便器を使用していると判断して、初期洗浄は行わずに便器洗浄装置の通常の動作に移行する。
【００２０】
次に、初期洗浄ディレイ時間決定処理について図４のフローチャートにより説明する。まず乱数Ｒｎを発生させ（Ｓ２０１）、その乱数Ｒｎの下一桁に５を乗算し変数Ｒｉに代入する（Ｓ２０２）。そしてＲｉ秒を初期洗浄ディレイタイマＴｉにセットし（Ｓ２０３）、初期洗浄ディレイタイマＴｉをスタートさせて（Ｓ２０４）、前述した初期洗浄処理に戻る。
【００２１】
以上のフローチャートに従って制御された場合の、便器洗浄装置の初期洗浄動作の具体例について図５のタイミングチャートを用いて説明する。
まず商用電源が投入されると、便器Ａ〜便器Ｅの便器洗浄装置３はそれぞれ乱数を発生させる。その結果、便器Ａの便器洗浄装置３の乱数は６４２であったとすると、その下一桁の２に５を乗算し１０秒となるため、１０秒後に電動弁５を開駆動することでフラッシュバルブ４を開弁し、初期洗浄を開始する。そして電動弁５を開駆動してから２秒後に電動弁５を閉駆動し、それから約３秒後にフラッシュバルブ４は閉弁し初期洗浄は終了する。同様に便器Ｂの便器洗浄装置３で発生した乱数が２０７であったとすると、７×５＝３５秒後に初期洗浄を開始する。また便器Ｃの便器洗浄装置３で発生した乱数が０６９であったとすると、９×５＝４５秒後に初期洗浄を開始する。また便器Ｄの便器洗浄装置３で発生した乱数が９８１であったとすると、１×５＝５秒後に初期洗浄を開始する。そして、便器Ｅの便器洗浄装置３で発生した乱数が２５４であったとすると、４×５＝２０秒後に初期洗浄を開始する。このようにして、便器Ａ〜便器Ｅの初期洗浄が重ならないようにそれぞれの便器洗浄装置３が任意にタイミングを決定し、初期洗浄を実施することが可能となる。
さらには、初期洗浄開始のディレイ時間は９×５＝４５秒が最大となるため、初期洗浄が長時間続いてしまうことを防止することが可能となる。
【００２２】
次に、初期洗浄が行われるまでの間に反射型非接触アクティブセンサ１１から出力された信号が人体有を検出した場合の、便器洗浄装置の初期洗浄動作の具体例について図６のタイミングチャートを用いて説明する。
まず、商用電源が投入されると、便器Ａ〜便器Ｅの便器洗浄装置３はそれぞれ乱数を発生させる。その結果、便器Ａの便器洗浄装置３の乱数は８３０であったとすると、その下一桁の０に５を乗算し０秒となるため、直ぐに電動弁５を開駆動することでフラッシュバルブ４を開弁し、初期洗浄を開始する。そして電動弁５を開駆動してから２秒後に電動弁５を閉駆動し、それから約３秒後にフラッシュバルブ４は閉弁し初期洗浄は終了する。同様に便器Ｂの便器洗浄装置３で発生した乱数が９９５であったとすると、５×５＝２５秒後に初期洗浄を開始することになるが、初期洗浄を開始する前に反射型非接触アクティブセンサ１１から出力された信号が人体有を検出している。しかし便器使用のオンディレイ時間１０秒が経過する前に、反射型非接触アクティブセンサ１１から出力された信号が人体無となったため、商用電源が投入されてから２５秒後に予定通り初期洗浄を開始する。
【００２３】
また便器Ｃの便器洗浄装置３で発生した乱数が６５２であったとすると、２×５＝１０秒後に初期洗浄を開始することになるが、初期洗浄を開始する前に反射型非接触アクティブセンサ１１から出力された信号が人体有を検出し、人体有を検出している間に初期洗浄を開始するタイミングになっている。しかしその時点では人が使っている可能性があるため初期洗浄は一旦保留される。そして便器使用のオンディレイ時間１０秒が経過する前に、反射型非接触アクティブセンサ１１から出力された信号が人体無となったため、その時点で初期洗浄が開始されることとなる。
【００２４】
また便器Ｄの便器洗浄装置３で発生した乱数が１２４であったとすると、４×５＝２０秒後に初期洗浄を開始することになるが、初期洗浄を開始する前に反射型非接触アクティブセンサ１１から出力された信号が人体有を検出し、人体有を検出している間に初期洗浄を開始するタイミングになっている。そして人体有を検出したまま便器使用のオンディレイ時間１０秒が経過したため、初期洗浄はキャンセルされ、反射型非接触アクティブセンサ１１から出力された信号が人体無に変わった後に、通常の便器洗浄が行われる。
【００２５】
また便器Ｅの便器洗浄装置で発生した乱数が５６９であったとすると、９×５＝４５秒後に初期洗浄を開始することになるが、初期洗浄を開始する前に反射型非接触アクティブセンサ１１から出力された信号が人体有を検出している。そして、人体有を検出したまま便器使用のオンディレイ時間１０秒が経過し、その後反射型非接触アクティブセンサ１１から出力された信号が人体無に変わったために、人の動きで一時的に人体無になった場合に誤洗浄しないために設けられたオフディレイ時間の３秒が経過した後、電動弁５を開駆動することでフラッシュバルブ４を開弁し、通常の便器洗浄が行われる。そして電動弁５を開駆動してから２秒後に電動弁５を閉駆動し、それから約３秒後にフラッシュバルブ４は閉弁し便器洗浄は終了している。そしてその後、商用電源投入から４５秒経過し、初期洗浄開始のタイミングを迎えているが、既に人の使用による便器洗浄が行われているため、初期洗浄はキャンセルされることになる。
このようにして、初期洗浄を行う前に使用者が便器１を使用したことにより便器洗浄が行われた場合、初期洗浄がキャンセルされることになるため、洗浄水を無駄に使うことを防止することが可能となる。
【００２６】
次に、便器洗浄装置の初期洗浄ディレイ時間決定処理に関する別の実施形態について図７のフローチャートを用いて説明する。
まず反射型非接触アクティブセンサ１１が受けている赤外線を受光部１３が受信した信号を増幅部１４で増幅し、その信号をから演算部１５で受光信号レベルを演算することにより受光処理を行い（Ｓ３０１）、その受光信号レベルを制御部８ａでＡＤ変換して結果を変数Ｐｄに代入し（Ｓ３０２）、その変数Ｐｄの下一桁に５を乗算し変数Ｒｉに代入する（Ｓ３０３）。そしてＲｉ秒を初期洗浄ディレイタイマＴｉにセットし（Ｓ３０４）、初期洗浄ディレイタイマＴｉをスタートさせて（Ｓ３０５）、前述した初期洗浄処理に戻る。
【００２７】
以上のフローチャートに従って制御された場合の、便器洗浄装置の初期洗浄動作の具体例について図８のタイミングチャートを用いて説明する。
まず商用電源が投入されると、便器Ａ〜便器Ｅの便器洗浄装置３はそれぞれ反射型非接触アクティブセンサ１１の受光処理を行い、その信号レベルをＡＤ変換する。その結果、便器Ａの便器洗浄装置３がＡＤ変換した受光信号レベルのＡＤ値が２３であったとすると、その下一桁の３に５を乗算し１５秒となるため、１５秒後に電動弁５を開駆動することでフラッシュバルブ４を開弁し、初期洗浄を開始する。そして電動弁５を開駆動してから２秒後に電動弁５を閉駆動し、それから約３秒後にフラッシュバルブ４は閉弁し初期洗浄は終了する。同様に便器Ｂの便器洗浄装置３が受光信号レベルをＡＤ変換した結果が２６であったとすると、６×５＝３０秒後に初期洗浄を開始する。また便器Ｃの便器洗浄装置３が受光信号レベルをＡＤ変換した結果が１９であったとすると、９×５＝４５秒後に初期洗浄を開始し、便器Ｄの便器洗浄装置３が受光信号レベルをＡＤ変換した結果が３１であったとすると、１×５＝５秒後に初期洗浄を開始する。そして、便器Ｅの便器洗浄装置３が受光レベルをＡＤ変換した結果が２４であったとすると、４×５＝２０秒後に初期洗浄を開始する。
【００２８】
以上説明したように、反射型非接触アクティブセンサ１１の受光レベルから初期洗浄ディレイ時間を演算することで、便器Ａ〜便器Ｅの初期洗浄が重ならないようにそれぞれの便器洗浄装置３が任意にタイミングを決定し、初期洗浄を実施することが可能となるとともに、初期洗浄開始のディレイ時間は９×５＝４５秒が最大となるため、初期洗浄が長時間続いてしまうことを防止することが可能となる。更には、制御手段８に無作為な時間情報を発生するためのランダム関数といった機能を準備しておく必要がなく、マイコンのＲＯＭサイズの削減が可能となり、便器洗浄装置のコスト低減が可能となる。
【００２９】
次に、便器洗浄装置の初期洗浄ディレイ時間決定処理に関する別の実施形態について、図９の構成図、図１０のフローチャート、図１１のタイミングチャートを用いて説明する。
まず図９に示すように、制御手段８にはマイコン４１が配設され、そのマイコン４１にはアナログ・デジタル変換ポート（以下ＡＤポート）ＡＤ０〜ＡＤ３や出力ポートＰ００などがある。そしてＡＤポートＡＤ１〜ＡＤ３はそれぞれ抵抗Ｒ２、Ｒ３、Ｒ４を介して基準電位レベルに電位が固定されている。またＡＤポートＡＤ０には抵抗Ｒ１が接続され、さらに抵抗Ｒ１のもう一方の端子からからトランジスタＱ１のコレクタに接続されている。そしてトランジスタＱ１のエミッタは基準電位に接続され、またトランジスタＱ１のベースは抵抗Ｒ５を介して出力ポートＰ００に接続されている。またトランジスタＱ１のベースと抵抗Ｒ５との間に抵抗Ｒ６が接続され、抵抗Ｒ６のもう一方の端子は基準電位に接続されている。
【００３０】
以上の構成において、図１０に示すように、まず出力ポートＰ００にＬｏを出力し（Ｓ４０１）トランジスタＱ１をオフにすることで、ＡＤポートＡＤ０の電位が固定されていない状態とする。その状態でＡＤポートＡＤ０の信号レベルをＡＤ変換し、その結果を変数Ｐａｄに代入する（Ｓ４０２）。そして出力ポートＰ００にＨｉを出力し（Ｓ４０３）トランジスタＱ１をオンにすることで、ＡＤポートＡＤ０を抵抗Ｒ１、トランジスタＱ１を介して基準電位に接続し、ＡＤポートＡＤ０の電位を固定する。そして変数Ｐａｄの下一桁に５を乗算し変数Ｒｉに代入し（Ｓ４０４）、変数Ｒｉ秒を初期洗浄ディレイタイマＴｉにセットし（Ｓ４０５）、初期洗浄ディレイタイマＴｉをスタートさせて（Ｓ４０６）、前述した初期洗浄処理に戻る。
【００３１】
以上のフローチャートに従って制御された場合の、便器洗浄装置の初期洗浄動作の具体例について図１１のタイミングチャートを用いて説明する。
まず商用電源が投入されると、便器Ａ〜便器Ｅの便器洗浄装置３はそれぞれ出力ポートＰ００にＬｏを出力し、ＡＤポートＡＤ０を電位が固定されていない状態にしたうえで、ＡＤポートＡＤ０の信号レベルをＡＤ変換する。その結果、便器Ａの便器洗浄装置３のＡＤポートＡＤ０の信号レベルをＡＤ変換したＡＤ値が４１であったとすると、その下一桁の１に５を乗算し５秒となるため、５秒後に電動弁５を開駆動することでフラッシュバルブ４を開弁し、初期洗浄を開始する。そして電動弁５を開駆動してから２秒後に電動５弁を閉駆動し、それから約３秒後にフラッシュバルブ４は閉弁し初期洗浄は終了する。同様に便器Ｂの便器洗浄装置３のＡＤ０の信号レベルをＡＤ変換した結果が２０５であったとすると、５×５＝２５秒後に初期洗浄を開始する。また便器Ｃの便器洗浄装置３のＡＤ０の信号レベルをＡＤ変換した結果が１４であったとすると、４×５＝２０秒後に初期洗浄を開始し、便器Ｄの受光信号レベルをＡＤ変換した結果が１００であったとすると、０×５＝０秒であるので直ぐに初期洗浄を開始する。そして、便器Ｅの便器洗浄装置３の受光レベルをＡＤ変換した結果が１２７であったとすると、７×５＝３５秒後に初期洗浄を開始する。
【００３２】
以上説明したように、ＡＤポートの電位を固定しない状態での信号レベルをＡＤ変換した値を基に初期洗浄ディレイ時間を演算することで、便器Ａ〜便器Ｅの初期洗浄が重ならないようにそれぞれの便器洗浄装置３が任意にタイミングを決定し、初期洗浄を実施することが可能となるとともに、初期洗浄開始のディレイ時間は９×５＝４５秒が最大となるため、初期洗浄が長時間続いてしまうことを防止することが可能となる。更には、制御手段８に無作為な時間情報を発生するためのランダム関数といった機能を準備しておく必要がなく、マイコン４１のＲＯＭサイズの削減が可能となり、便器洗浄装置３のコスト低減が可能となる。
【符号の説明】
【００３３】
１…便器
２…給水流路
３…便器洗浄装置
４…フラッシュバルブ
５…電動弁
６…コンセントプラグ
７…電源部
８…制御手段
８ａ…制御部
９…ディレイ時間設定部
１１…反射型非接触アクティブセンサ
１２…投光部
１３…受光部
１４…増幅部
１５…演算部
２１…本体
２２…弁体（ピストンバルブ）
２３…圧力室
２４…供給路
２５…排水路
２６…一次側給水路
２７…二次側排水路
２８…シート
３１…蓋
３２…プランジャー
４１…マイコン
【図１】
2011102472.tif 000003
【図２】
2011102472.tif 000004
【図３】
2011102472.tif 000005
【図４】
2011102472.tif 000006
【図５】
2011102472.tif 000007
【図６】
2011102472.tif 000008
【図７】
2011102472.tif 000009
【図８】
2011102472.tif 000010
【図９】
2011102472.tif 000011
【図１０】
2011102472.tif 000012
【図１１】
2011102472.tif 000013